(57)【特許請求の範囲】
【請求項１】
他の無線接続装置との間で通話のための接続を行う無線接続装置であって、
音声信号を入力する音声信号入力手段と、
前記通話のための接続が可能な前記他の無線接続装置を検出する検出手段と、
該検出手段によって検出された前記他の無線接続装置との間で、前記接続の先を選択するための仮接続を行い、前記他の無線接続装置に保存されている時間的に変化する信号のパタンであって、前記他の無線接続装置の表示手段を点滅させるためのパタンを、前記他の無線接続装置に問い合わせる信号を前記他の無線接続装置に送信する通信手段と、
前記パタンを問い合わせる信号を送信した後に受信した、前記他の無線接続装置から送られてくる信号のパタンと、前記音声信号入力手段が受け付けた音声信号のパタンとが一致した場合に、前記通信手段を介して前記他の無線接続装置との間で前記通話のための接続を行う制御手段と
を備えることを特徴とする無線接続装置。
【請求項２】
前記音声信号入力手段から入力された音声信号パタンを符号化するパタン符号化手段と、
前記符号化された音声信号パタンと前記他の無線接続装置から送られてくる信号のパタンの一致を照合するパタン照合手段
とを更に備えることを特徴とする請求項１に記載の無線接続装置。
【請求項３】
前記通信手段は、２．４ＧＨｚ帯のＩＳＭバンドを利用し、周波数ホッピングスペクトラム拡散方式を利用することを特徴とする請求項１又は２に記載の無線接続装置。
【請求項４】
発信側の無線接続装置と受信側の無線接続装置との間で通話のための接続を行う無線接続システムであって、
前記通話のための接続が可能な前記受信側の無線接続装置を検出する検出手段、時間的に変化する信号のパタンを保存するパタン記憶装置、前記検出手段によって検出された前記受信側の無線接続装置との間で、前記接続の先を選択するための仮接続を行って前記パタンを前記検出された受信側の無線接続装置に送信する通信手段、前記パタンを音声信号として出力する音声信号出力手段、前記パタンに従って前記音声信号出力手段の動作を制御する制御手段を備える複数の発信側の無線接続装置と、
該発信側の無線接続装置と仮接続を行う通信手段、前記発信側の無線接続装置から送られてくる前記パタンを光の点滅によって表現する表示手段、前記パタンに従って前記表示手段の動作を制御する制御手段を備える複数の受信側の無線接続装置
とを備えることを特徴とする無線接続システム。
【請求項５】
前記発信側の無線接続装置が、前記パタンを光の点滅によって表現する表示手段を更に備え、
前記受信側の無線接続装置が、前記パタンを音声信号として出力する音声信号出力手段を更に備えることを特徴とする請求項４に記載の無線接続システム。
【請求項６】
発信側の無線接続装置と受信側の無線接続装置との間で通話のための接続を行う無線接続システムであって、
音声信号パタンの入力を受け付ける音声信号入力手段、前記通話のための接続が可能な前記受信側の無線接続装置を検出する検出手段、該検出手段によって検出された前記受信側の無線接続装置との間で、前記接続の先を選択するための仮接続を行い、前記受信側の無線接続装置に保存されている時間的に変化する信号のパタンであって、前記受信側の無線接続装置の表示手段を点滅させるためのパタンを、前記受信側の無線接続装置に問い合わせる信号を前記受信側の無線接続装置に送信する通信手段、前記音声信号パタンを符号化するパタン符号化手段、複数のパタンの一致を照合するパタン照合手段、前記パタン符号化手段及び前記パタン照合手段の動作を制御する制御手段を備える複数の発信側の無線接続装置と、
該発信側の無線接続装置と仮接続を行う通信手段、前記時間的に変化する信号のパタンを保存するパタン記憶装置、前記パタンを光の点滅によって表現する表示手段、前記パタンに従って前記表示手段の動作を制御する制御手段を備える複数の受信側の無線接続装置
とを備えることを特徴とする無線接続システム。
【請求項７】
前記通信手段は、２．４ＧＨｚ帯のＩＳＭバンドを利用し、周波数ホッピングスペクトラム拡散方式を利用することを特徴とする請求項４〜６のいずれか１項に記載の無線接続システム。
【請求項８】
発信側の無線接続装置と受信側の無線接続装置との間で通話のための接続を行う無線接続方法であって、
前記発信側の無線接続装置が時間的に変化する信号のパタンを保存するパタン記憶装置から前記パタンを取り出すステップと、
前記発信側の無線接続装置が前記通話のための接続が可能な前記受信側の無線接続装置を検出するステップと、
前記発信側の無線接続装置が前記検出された受信側の無線接続装置との間で、前記接続の先を選択するための仮接続を行って前記パタンを前記検出された受信側の無線接続装置に送信するステップと、
前記受信側の無線接続装置が前記パタンに従って光を点滅するステップと、
前記発信側の無線接続装置が前記パタンを送信した後に前記パタンに従って音声信号を出力するステップと、
前記発信側の無線接続装置が前記音声信号を出力した後に前記発信側の無線接続装置に対して指示の入力があった場合に、前記発信側の無線接続装置が前記受信側の無線接続装置と前記通話のための接続を行うステップ
とを含むことを特徴とする無線接続方法。
【請求項９】
発信側の無線接続装置と受信側の無線接続装置との間で通話のための接続を行う無線接続方法であって、
前記発信側の無線接続装置が時間的に変化する信号のパタンを保存するパタン記憶装置から前記パタンを取り出すステップと、
前記発信側の無線接続装置が前記通話のための接続が可能な前記受信側の無線接続装置を検出するステップと、
前記発信側の無線接続装置が前記検出された受信側の無線接続装置との間で、前記接続の先を選択するための仮接続を行って前記パタンを前記検出された受信側の無線接続装置に送信するステップと、
前記受信側の無線接続装置が前記パタンに従って光を点滅するステップと、
前記発信側の無線接続装置が前記パタンを送信した後に前記パタンに従って音声信号を出力するステップと、
前記発信側の無線接続装置が前記パタンに従って光を点滅するステップと、
前記受信側の無線接続装置が前記パタンに従って音声信号を出力するステップと、
前記受信側の無線接続装置が前記音声信号を出力した後に前記受信側の無線接続装置に対して指示の入力があった場合に、前記受信側の無線接続装置が前記発信側の無線接続装置と前記通話のための接続を行うステップ
とを含むことを特徴とする無線接続方法。
【請求項１０】
発信側の無線接続装置と受信側の無線接続装置との間で通話のための接続を行う無線接続方法であって、
前記受信側の無線接続装置が時間的に変化する信号のパタンを保存するパタン記憶装置から前記パタンを取り出すステップと、
前記受信側の無線接続装置が前記パタンに従って光を点滅するステップと、
前記受信側の無線接続装置が前記光を点滅させた後に発信側の無線接続装置が音声で入力された音声パタンを符号化するステップと、
前記発信側の無線接続装置が前記受信側の無線接続装置との間で、前記接続の先を選択するための仮接続を行って前記パタンの問い合わせを行うステップと、
前記受信側の無線接続装置が前記パタンを前記発信側の無線接続装置に送信するステップと、
前記発信側の無線接続装置が前記パタンと前記音声パタンの一致を照合するステップと、
該照合するステップにおいて、前記パタンと前記音声パタンが一致した場合に、前記発信側の無線接続装置が前記受信側の無線接続装置と前記通話のための接続を行うステップ
とを含むことを特徴とする無線接続方法。
【請求項１１】
前記発信側の無線接続装置と前記受信側の無線接続装置の接続に、２．４ＧＨｚ帯のＩＳＭバンドを利用し、周波数ホッピングスペクトラム拡散方式を利用することを特徴とする請求項８〜１０のいずれか１項に記載の無線接続方法。
【発明の詳細な説明】
【０００１】
【発明の属する技術分野】
本発明は、接続可能な無線接続装置が複数存在する場合に、各無線接続装置が、所望の無線接続装置を指定して接続を確立するため無線接続装置、無線接続システム及び無線接続方法に関するものである。
【０００２】
【従来の技術】
従来の無線接続装置、例えば携帯電話の場合、所望の相手と接続を確立するためには、電話番号など相手先の装置に固有な記号を予め利用者もしくは手元の装置が保存している必要がある。
【０００３】
しかしながら、例えば無線接続機能を搭載したヘッドセットや、トランシーバ機能を搭載した携帯電話などの場合、視界内にある不特定多数の装置の中から接続先を選択したいというニーズがあり、このような場合には予めわかっている固有な記号によって相手先を指定するという従来の方法は適用できない。
【０００４】
このようなニーズに対応する例として、複数のヘッドセットとひとつの機器の接続を選択的に行う方法(特開2001-145163号公報参照)が提案されている。この方法によると、機器と接続するヘッドセットを選択する際に、各ヘッドセットに対して順次音声出力を行ない、この音声出力と機器の表示内容を利用者が照合／判断することによって接続するヘッドセットを指定することができる。
【０００５】
【発明が解決しようとする課題】
しかし、この方法は音声信号の送受によって接続を確認するため、目的以外のヘッドセットを他人が装着している場合には、不要な音声を他人のヘッドセットに送信することとなる。又、複数の接続可能な機器が存在する中で、他の機器から接続要求があった時に、接続要求を発している機器を特定することができないという問題があった。
【０００６】
そこで、本発明は、接続可能な無線接続装置が複数存在する場合に、接続を行おうとする対象以外の無線接続装置の利用者に影響を及ぼすことなく、所望の無線接続装置を指定して接続を確立することができる無線接続装置及び無線接続方法を提供することを目的とする。
【０００７】
【課題を解決するための手段】
上記目的を達成するため、本発明の第１の特徴は、（イ）音声信号を入力する音声信号入力手段と、（ロ）通話のための接続が可能な他の無線接続装置を検出する検出手段と、（ハ）該検出手段によって検出された他の無線接続装置との間で、接続の先を選択するための仮接続を行い、他の無線接続装置に保存されている時間的に変化する信号のパタンであって、他の無線接続装置の表示手段を点滅させるためのパタンを、他の無線接続装置に問い合わせる信号を他の無線接続装置に送信する通信手段と、（ニ）パタンを問い合わせる信号を送信した後に受信した、他の無線接続装置から送られてくる信号のパタンと、音声信号入力手段が受け付けた音声信号のパタンとが一致した場合に、通信手段を介して他の無線通信装置との間で通話のための接続を行う制御手段とを備える無線接続装置であることを要旨とする。
【０００８】
ここで、「パタン」とは、オンとオフ等の２種類で表された時間的に変化する信号の様式である。
【０００９】
第１の特徴に係る無線接続装置によると、接続可能な無線接続装置が複数存在する場合に、接続を行おうとする対象以外の無線接続装置の利用者に影響を及ぼすことなく、所望の無線接続装置を指定して接続を確立することができる。
【００１０】
又、第１の特徴に係る無線接続装置は、（ト）音声信号入力手段から入力された音声信号パタンを符号化するパタン符号化手段と、（チ）複数のパタンの一致を照合するパタン照合手段とを更に備えていても良い。
【００１１】
この無線接続装置によると、発信側機器の利用者は所望の受信側機器と通話のため接続を確立することができる。又、各無線接続装置は受信待ち受け状態であるか否かを表示手段によって他の無線接続装置の利用者に周知させることができる。
【００１２】
又、第１の特徴に係る無線接続装置の通信手段は、２．４ＧＨｚ帯のＩＳＭバンドを利用し、周波数ホッピングスペクトラム拡散方式を利用しても良い。この無線接続装置によると、低電力で効率的な通信を行うことができる。
【００１３】
本発明の第２の特徴は、（イ）通話のための接続が可能な受信側の無線接続装置を検出する検出手段、時間的に変化する信号のパタンを保存するパタン記憶装置、検出手段によって検出された受信側の無線接続装置との間で、接続の先を選択するための仮接続を行って前記パタンを検出された受信側の無線接続装置に送信する通信手段、パタンを音声信号として出力する音声信号出力手段、パタンに従って音声信号出力手段の動作を制御する制御手段を備える複数の発信側の無線接続装置と、（ロ）該発信側の無線接続装置と仮接続を行う通信手段、発信側の無線接続装置から送られてくるパタンを光の点滅によって表現する表示手段、パタンに従って表示手段の動作を制御する制御手段を備える複数の受信側の無線接続装置とを備える無線接続システムであることを要旨とする。
【００１４】
ここで、「発信側機器」とは、一方の無線接続装置から他方の無線接続装置へ接続を行う際、接続を行う側の無線接続装置を指し、「受信側機器」とは、接続要求を待ち受ける側の無線接続装置を指す。
【００１５】
第２の特徴に係る無線接続システムによると、接続可能な無線接続装置が複数存在する場合に、接続を行おうとする対象以外の無線接続装置の利用者に影響を及ぼすことなく、所望の無線接続装置を指定して接続を確立することができる。
【００１６】
第２の特徴に係る無線接続システムの発信側機器が、パタンを光の点滅によって表現する表示手段を、受信側機器が、パタンを音声信号として出力する音声信号出力手段を更に備えても良い。
【００１７】
この無線接続システムによると、発信側機器の利用者は所望の受信側機器に対して通話のための接続要求を行うことができ、更に、受信側機器の利用者は、接続を要求してきている発信側機器又は利用者を確認した後に、接続の許可又は切断を行うことができる。
【００１８】
又、第２の特徴に係る無線接続システムの通信手段は、２．４ＧＨｚ帯のＩＳＭバンドを利用し、周波数ホッピングスペクトラム拡散方式を利用しても良い。この無線接続システムによると、低電力で効率的な通信を行うことができる。
【００１９】
本発明の第３の特徴は、（イ）音声信号パタンの入力を受け付ける音声信号入力手段、通話のための接続が可能な受信側の無線接続装置を検出する検出手段、該検出手段によって検出された受信側の無線接続装置との間で、接続の先を選択するための仮接続を行い、受信側の無線接続装置に保存されている時間的に変化する信号のパタンであって、受信側の無線接続装置の表示手段を点滅させるためのパタンを、受信側の無線接続装置に問い合わせる信号を受信側の無線接続装置に送信する通信手段、音声信号パタンを符号化するパタン符号化手段、複数のパタンの一致を照合するパタン照合手段、パタン符号化手段及びパタン照合手段の動作を制御する制御手段を備える複数の発信側の無線接続装置と、（ロ）該発信側の無線接続装置と仮接続を行う通信手段、時間的に変化する信号のパタンを保存するパタン記憶装置、パタンを光の点滅によって表現する表示手段、パタンに従って表示手段の動作を制御する制御手段を備える複数の受信側の無線接続装置とを備える無線接続システムであることを要旨とする。
【００２０】
この無線接続システムによると、発信側機器の利用者は所望の受信側機器と通話のため接続を確立することができる。又、各無線接続装置は受信待ち受け状態であるか否かを表示手段によって他の無線接続装置の利用者に周知させることができる。
【００２１】
又、第３の特徴に係る無線接続システムの通信手段は、２．４ＧＨｚ帯のＩＳＭバンドを利用し、周波数ホッピングスペクトラム拡散方式を利用しても良い。この無線接続システムによると、低電力で効率的な通信を行うことができる。
【００２２】
本発明の第４の特徴は、（イ）発信側の無線接続装置が時間的に変化する信号のパタンを保存するパタン記憶装置からパタンを取り出すステップと、（ロ）発信側の無線接続装置が通話のための接続が可能な受信側の無線接続装置を検出するステップと、（ハ）発信側の無線接続装置が検出された受信側の無線接続装置との間で、接続の先を選択するための仮接続を行って前記パタンを検出された受信側の無線接続装置に送信するステップと、（ニ）受信側の無線接続装置がパタンに従って光を点滅するステップと、（ホ）発信側の無線接続装置がパタンを送信した後にパタンに従って音声信号を出力するステップと、（ヘ）発信側の無線接続装置が音声信号を出力した後に発信側の無線接続装置に対して指示の入力があった場合に、発信側の無線接続装置が受信側の無線接続装置と通話のための接続を行うステップとを含む無線接続方法であることを要旨とする。
【００２３】
第４の特徴に係る無線接続方法によると、接続可能な無線接続装置が複数存在する場合に、接続を行おうとする対象以外の無線接続装置の利用者に影響を及ぼすことなく、所望の無線接続装置を指定して接続を確立することができる。
【００２４】
又、第４の特徴に係る無線接続方法において、発信側機器と受信側機器の接続に、２．４ＧＨｚ帯のＩＳＭバンドを利用し、周波数ホッピングスペクトラム拡散方式を利用しても良い。この無線接続方法によると、低電力で効率的な通信を行うことができる。
【００２５】
本発明の第５の特徴は、（イ）発信側の無線接続装置が時間的に変化する信号のパタンを保存するパタン記憶装置からパタンを取り出すステップと、（ロ）発信側の無線接続装置が通話のための接続が可能な受信側の無線接続装置を検出するステップと、（ハ）発信側の無線接続装置が検出された受信側の無線接続装置との間で、接続の先を選択するための仮接続を行ってパタンを検出された受信側の無線接続装置に送信するステップと、（ニ）受信側の無線接続装置がパタンに従って光を点滅するステップと、（ホ）発信側の無線接続装置がパタンを送信した後にパタンに従って音声信号を出力するステップと、（ヘ）発信側の無線接続装置がパタンに従って光を点滅するステップと、（ト）受信側の無線接続装置がパタンに従って音声信号を出力するステップと、（チ）受信側の無線接続装置が音声信号を出力した後に受信側の無線接続装置に対して指示の入力があった場合に、受信側の無線接続装置が発信側の無線接続装置と通話の接続を行うステップとを含む無線接続方法であることを要旨とする。
【００２６】
第５の特徴に係る無線接続方法によると、発信側機器の利用者は所望の受信側機器に対して通話のための接続要求を行うことができ、更に、受信側機器の利用者は、接続を要求してきている発信側機器又は利用者を確認した後に、接続の許可又は切断を行うことができる。
【００２７】
又、第５の特徴に係る無線接続方法において、発信側機器と受信側機器の接続に、２．４ＧＨｚ帯のＩＳＭバンドを利用し、周波数ホッピングスペクトラム拡散方式を利用しても良い。この無線接続方法によると、低電力で効率的な通信を行うことができる。
【００２８】
本発明の第６の特徴は、（イ）受信側の無線接続装置が時間的に変化する信号のパタンを保存するパタン記憶装置からパタンを取り出すステップと、（ロ）受信側の無線接続装置がパタンに従って光を点滅するステップと、（ハ）受信側の無線接続装置が光を点滅させた後に発信側の無線接続装置が音声で入力された音声パタンを符号化するステップと、（ニ）発信側の無線接続装置が受信側の無線接続装置との間で、接続の先を選択するための仮接続を行って前記パタンの問い合わせを行うステップと、（ホ）受信側の無線接続装置がパタンを発信側の無線接続装置に送信するステップと、（ヘ）発信側の無線接続装置がパタンと音声パタンの一致を照合するステップと、（ト）該照合するステップにおいて、パタンと音声パタンが一致した場合に、発信側の無線接続装置が受信側の無線接続装置と通話のための接続を行うステップとを含む無線接続方法であることを要旨とする。
【００２９】
第６の特徴に係る無線接続方法によると、発信側機器の利用者は所望の受信側機器と通話のため接続を確立することができる。又、各無線接続装置は受信待ち受け状態であるか否かを表示手段によって他の無線接続装置の利用者に周知させることができる。
【００３０】
又、第６の特徴に係る無線接続方法において、発信側機器と受信側機器の接続に、２．４ＧＨｚ帯のＩＳＭバンドを利用し、周波数ホッピングスペクトラム拡散方式を利用しても良い。この無線接続方法によると、低電力で効率的な通信を行うことができる。
【００３１】
【発明の実施の形態】
次に、図面を参照して、本発明の第１及び第２の実施の形態を説明する。以下の図面の記載において、同一又は類似の部分には同一又は類似の符号を付している。但し、図面は模式的なものであることに留意すべきである。
【００３２】
（第１の実施の形態）
本発明の第１の実施の形態に係る無線接続装置は、図１に示すように、音声信号入力手段１１、検出手段１２、通信手段１３、パタン記憶装置１４、表示手段１５、音声信号出力手段１６、制御手段１７からなる。この無線接続装置は、ヘッドフォンとマイクが一体となったヘッドセット装置、携帯電話、ＰＤＣ、ＰＨＳ、トランシーバ等である。
【００３３】
音声信号入力手段１１は、通話時に音声信号を入力するマイク等であり、利用者の音声による指示の入力を受け付ける。検出手段１２は、音声信号入力手段１１に入力された利用者の指示により、利用者が目視で確認できる範囲にある接続可能な機器を検出する。
【００３４】
通信手段１３は、検出手段１２によって検出された機器との通信を行う。ここで、通信手段１３は、通常の携帯電話が公衆網に接続するために持つ通信手段とは異なり、利用者の視野の範囲程度の近傍にある機器と直接通信を行うための付属的な通信手段を指す。このような近距離無線通信を行う方法しては、免許不要で扱える２．４ＧＨｚ帯のＩＳＭバンドを利用し、周波数ホッピングスペクトラム拡散（ＦＨＳＳ）方式を用いる方法が挙げられる。この方法では、１ＭＨｚ幅の７９チャンネルを毎秒最大１６００回ランダムに切り替える（周波数ホッピング）ことにより、他の無線通信との干渉を防止する。
【００３５】
パタン記憶装置１４は、符号化されたパタンを保存する。「パタン」とは、オンとオフ等の２種類で表された時間的に変化する信号の様式である。この符号化されたパタンの一例を図４に示す。図４に示すパタンは、１秒間を４分割した時間を１単位、１ビットとして、３秒分のオン／オフパタンになっている。１パタンは１２ビットで構成される。この例の場合、符号化されたパタンを２進数で表現すると「０１０１１０１１１００１」となり、１６進数で表現すると「０ｘ５Ｂ９」となる。
【００３６】
表示手段１５は、光の点滅によって外部に対してパタンを表現する手段であって、例えばＬＥＤ発光器等を利用することが考えられる。音声信号出力手段１６は、通話時に受信した音声を出力するヘッドフォン等であり、又、パタンを音声信号によって利用者に伝達することもできる。制御手段１７は、パタン記憶装置１４からパタンを読みだし、読みだしたパタンに基づいて表示手段１５又は音声信号出力手段１６を駆動する。又、読みだしたパタンを通信手段１３を用いて他の機器へと伝達する。更に、音声信号出力手段１６を制御して、問い合わせなどのための音声信号を利用者に対して出力させることもできる。
【００３７】
第１の実施の形態に係る無線接続装置によると、接続可能な無線接続装置が複数存在する場合に、接続を行おうとする対象以外の無線接続装置の利用者に影響を及ぼすことなく、所望の無線接続装置を指定して接続を確立することができる。
【００３８】
次に、第１の実施の形態に係る無線接続装置によって、無線接続を行う方法を図２、図３を参照して説明する。第１の実施の形態に係る無線接続方法は、互いに視認できる程度の近傍で直接通話を開始する際に、目的外の装置と接続してしまうことなく、通話相手先を指定することができる方法である。
【００３９】
以下の説明において、一方の無線接続装置から他方の無線接続装置へ接続を行う際、接続を行う側の装置を発信側機器、接続要求を待ち受ける側の装置を受信側機器と呼ぶ。まず、図２を参照して、無線接続装置を発信側機器として使用する際の動作を説明する。
【００４０】
（イ）まず、ステップＳ１０１において、発信側機器は、利用者からの接続処理開始指示を待ち受ける。この開始指示は、利用者が音声信号入力手段１１によって入力した「接続を開始します」という音声、あるいは発信側機器の電源（図示せず）を入れるという動作あるいはボタン型入力手段（図示せず）等による押下信号等が考えられる。接続開始指示があると、ステップＳ１０２において、制御手段１７はパタン記憶装置１４から符号化されたパタンを取り出す。
【００４１】
（ロ）次に、ステップＳ１０３において、検出手段１２が接続可能な機器を一つ検出する。ステップＳ１０４において、検出された機器に対し、通信手段１３が仮接続を行う。ここで、仮接続とは、実際に通話を行うのではなく、接続先の選択や接続許可の問い合わせを行うための接続のことである。
【００４２】
（ハ）仮接続が完了すると、制御手段１７が通信手段１３にステップＳ１０２で取り出したパタンを伝え、ステップＳ１０５において、通信手段１３が仮接続先の機器に対しパタンを送信する。仮接続以降の受信側機器の動作については、図３に示す（図３については後程詳細を説明する。）。受信側機器はステップＳ２０４でパタンに従って表示手段１５を点滅することになる。
【００４３】
（ニ）次に、ステップＳ１０６において、制御手段１７は、音声信号出力手段１６をこのパタンに従って駆動し、音声信号のパタンを出力させる。このとき音声信号のパタンは発信側機器の利用者にのみ聞こえるようにする。又、認識を容易にするため、連続するオンの部分パタンの間に０．１秒程度、パタン全体の末尾に１．５秒程度の間隔を挿入して繰り返し出力しても良い。末尾の１．５秒の空白とパタン中の連続するオフとを誤認することを避けるため、例えば、図４のような１２ビットのパタンの場合、この１２ビットを４等分した３ビットごとに少なくとも１ビットはオンのビットがあることという制約を設けることも考えられる。図４の形式のパタンでは４０９６通りのパタンを表現できるが、この制約を課した場合でも約２０００通りのパタンが表現可能である。
【００４４】
（ホ）次に、発信側機器の利用者は、接続したい受信側機器の表示手段１５の点滅パタンを視認し、この点滅パタンが音声信号出力手段１６から聞こえる音声信号のパタンと一致している場合には、その時点で仮接続している受信側機器が所望の接続相手であることが分かる。そこで、ステップＳ１０７において、音声信号入力手段１１に対して通話の接続を行うように指示する。一致していない場合には接続を行わない旨を指示する。
【００４５】
ここで、パタンが一致していない場合とは、具体的には所望の接続相手の表示装置が点滅していないか、点滅していても音声信号出力手段１６の出力とは異なるパタンで点滅している場合である。所望の接続先が、ここで想定している発信側機器とは異なる機器との仮接続によって偶然同じパタンで表示手段１５の点滅を行なっている可能性も考えられる。しかし、図４のに示すパタンは、前述の通り２０００〜４０００程度となるので、所望の接続先に対し、同じパタンを持った発信元が同時に仮接続を行う確率は、実際的には十分に小さいといえる。
【００４６】
（へ）ステップＳ１０７において、発信側機器は音声信号入力装置１１に接続の指示が入力された場合は、ステップＳ１０８に進み、仮接続中の受信側機器と接続を行う。ステップＳ１０７において、接続を行わない指示が入力された場合は、ステップＳ１０９に進み、仮接続を切断する。そして、ステップＳ１０３に戻り、再び新たな接続先の検出を行う。
【００４７】
次に、図３を参照して、受信側機器の動作を説明する。
【００４８】
（イ）まず、ステップＳ２０１において、受信側機器は発信側機器からの仮接続要求を待ち受ける。発信側機器から仮接続要求があると、ステップＳ２０２において、通信手段１３は仮接続を行う。そして、ステップＳ２０３において、制御手段１７は、発信側機器から通信手段１３を介してパタンデータを受信する。
【００４９】
（ロ）次に、ステップＳ２０４において、制御手段１７は、パタンに基づいて表示手段１５を点滅させる。この点滅は仮接続が切断されるか、通話のための接続が確立するまで継続される。
【００５０】
（ハ）次に、ステップＳ２０５において、発信側機器から接続要求がなかった場合は、発信側機器から仮接続が切断され、ステップＳ２０８において、受信側機器も仮接続を切断する。そして、ステップＳ２０１おいて、再び仮接続の要求を待ち受ける。
【００５１】
（ニ）発信側の利用者が点滅のパタンを視認した後、接続指示を行うと、ステップＳ２０５において、受信側機器は、接続要求があったとみなし、ステップＳ２０６において、通信手段１３は接続を受け入れる。次に、ステップＳ２０７において、音声信号出力手段１６は受信側機器の利用者に対して接続の確立を通知する。
【００５２】
尚、ここでは説明を容易にするため、発信側機器と受信側機器の処理を分けて説明したが、実際にはＳ１０１及びＳ２０１の待ち受け処理は並行して処理してもよい。この場合待ち受け中に利用者から接続指示があれば発信側機器として処理フローを処理し、あるいは他の機器から仮接続要求があれば受信側機器として処理フローが進むことになる。
【００５３】
又、ここでは二つ無線接続装置間での通話接続についてのみ説明したが、同様の処理フローを繰り返すことにより一つの発信側機器と複数の受信側機器の接続を行うこともできる。
【００５４】
第１の実施の形態に係る無線接続方法によると、接続先を発信側機器の利用者が指定し、接続先の確認動作も発信側機器の利用者にのみ聞こえる音声信号パタンと受信側機器の表示手段１５の点滅パタンとの照合によって行うため、接続を行う無線接続装置対以外の利用者に対してはどの無線接続装置が発信側機器であるか、あるいはどの無線接続装置対が接続を行なっているかを、第三者に知られることなく通話接続を確立することができる。
（第１の実施の形態の変形例）
第１の実施の形態の変形例として、発信側機器の利用者が所望の受信側機器との仮接続を確認した後に、受信側機器の利用者が自身の機器に接続要求を行なっている発信側機器を確認して、接続の許可もしくは拒否を指示できるようにした場合を説明する。
【００５５】
第１の実施の形態の変形例に係る無線接続装置の構成は、図１に示す構成と同様であるので、ここでは説明を省略する。
【００５６】
以下の無線接続方法の説明において、一方の無線接続装置から他方の無線接続装置へ接続を行う際、接続を行う側の装置を発信側機器、接続要求を待ち受ける側の装置を受信側機器と呼ぶ。まず、図５を用いて、無線接続装置を受信側機器として使用する際の動作を説明する。ステップＳ３０１〜Ｓ３０５及びステップＳ３１２は、図３に示す第１の実施の形態に係る受信側機器の動作のステップＳ２０１〜Ｓ２０５及びステップＳ２０８と同様であるので、ここでは説明を省略する。
【００５７】
（イ）ステップＳ３０５において、発信側機器から接続要求を受けると、受信側機器の制御手段１７は、ステップＳ３０６において、受信したパタンに従って音声出力手段１６を駆動し音声信号パタンを出力する。
【００５８】
（ロ）受信側機器の利用者は、音声信号パタンを聞きながら、後に説明する図６のステップＳ４０８によって同じパタンで表示手段１５を点滅させている発信側機器を視認する。
【００５９】
（ハ）ステップＳ３０７において、視認した結果、接続を許可する場合、受信側利用者は受信側機器の音声信号入力手段１１に対し接続の許可を指示する。接続の許可が指示されると、ステップＳ３０８において、受信側の制御手段１７は音声信号出力手段１６からの音声信号パタン出力を停止する。そしてステップＳ３０９において、通信手段１３は発信側との通話接続を確立するとともに発信側に接続許可を通知する。
【００６０】
（ニ）ステップＳ３０７において、利用者が接続を許可しなかった場合には、ステップＳ３１０において、受信側の制御手段１７は音声信号出力手段１６からの音声信号パタンの出力を停止し、更に、ステップＳ３１１において、通信手段１３を制御して仮接続を切断する。
【００６１】
次に、図６を参照して、発信側機器の動作を説明する。ステップＳ４０１〜Ｓ４０７及びステップＳ４１４は、図２に示す第１の実施の形態に係る発信側機器の動作のステップＳ１０１〜Ｓ１０７及びステップＳ１０９と同様であるので、ここでは説明を省略する。
【００６２】
（イ）ステップＳ４０８において、発信側利用者から接続の指示があった場合、ステップＳ４０８において、制御手段１７はパタンデータに従って発信側機器の表示手段１５を点滅させる。これは前述の通り、受信側機器の利用者に対し発信側機器を視認させるためである。
【００６３】
（ロ）その後、発信側の通信手段１３は受信側機器からの接続許可の回答を待ち受ける。ステップＳ４０９において、接続が許可された場合、ステップＳ４１０に進み、制御手段１７は通信手段１３を用いて通話のための接続を確立する。そして、ステップＳ４１１において、音声信号出力手段１６によって発信側利用者に対して通話接続が確立した旨を通知する。
【００６４】
（ハ）ステップＳ４０９において、受信側機器から接続が許可されなかった場合、ステップＳ４１２に進み、発信側機器の制御手段１７は通信手段１３によって仮接続切断の処理を行う。そして、ステップＳ４１３において、音声信号出力手段１６によって通話接続が行なえなかった旨を発信側利用者に対して通知する。
【００６５】
第１の実施の形態の変形例に係る無線接続方法によると、発信側機器及び受信側機器の処理によって、発信側機器の利用者は所望の受信側機器に対して通話のための接続要求を行うことができ、更に、受信側機器の利用者は、接続を要求してきている発信側機器又は利用者を確認した後に、接続の許可又は切断を行うことができる。又、第１の実施の形態と同様に、接続を行う無線接続装置対以外の利用者に対してはどの無線接続装置が発信側機器であるか、あるいはどの無線接続装置対が接続を行なっているかを、第三者に知られることなく通話接続を確立することができる。
【００６６】
（第２の実施の形態）
第２の実施の形態に係る無線接続装置は、第１の実施の形態に係る無線接続装置と同様、具体的には、ヘッドフォンとマイクが一体となったヘッドセット装置、携帯電話、ＰＤＣ、ＰＨＳ、トランシーバ等である。
【００６７】
第２の実施の形態に係る無線接続装置は、図７に示すように、音声信号入力手段１１、検出手段１２、通信手段１３、パタン記憶装置１４、表示手段１５、音声信号出力手段１６、制御手段１７、パタン符号化手段１８、パタン照合手段１９からなる。音声信号入力手段１１、検出手段１２、通信手段１３、パタン記憶装置１４、表示手段１５、音声信号出力手段１６、制御手段１７は、図１に示す第１の実施の形態に係る無線接続装置と同様であるので、ここでは説明を省略する。
【００６８】
パタン符号化手段１８は、音声信号入力手段１１から入力された音声信号パタンを、符号化する。パタン符号化手段１８によって符号化されたパタンの例を図１０に示す。図１０では、時系列上で音声パタンとして舌打ちが入力された部分を「ツ」として示す。利用者によるこのような音声入力ではタイミングが厳密であることは期待できないが、図４で示した符号化パタンと同様、パタンの最短単位は０．２５秒に規格化されているため、図１０に示したようにタイミングの微小なずれをこの最短単位に規格化することができる。図１０の例の場合、符号化されたパタンを２進数で表現すると「１００１１０１１１００１」となり、１６進数で表現すると「０ｘ９Ｂ９」となる。
【００６９】
第１の実施の形態における符号化パタンでは、パタンの先頭を判別するための方法の例として、連続する０ビットの数を制限することを考えたが、第２の実施の形態では、更に、例えば先頭ビットが必ず１であるという制限を設けることで、パタンの先頭を認識できるようになる。このよう制限を設けた場合、表現されるパタンの種類が更に少なくなるが、同様の原理でパタン長を４秒以上、つまり１６ビット以上に拡張することで回避できる。
【００７０】
パタン照合手段１９は、複数のパタンの一致を照合する。例えば、パタン符号化手段１８が符号化したパタンと、パタン記憶装置１４に保存されたパタンとの照合を行う。
【００７１】
第２の実施の形態に係る無線接続装置によると、接続可能な無線接続装置が複数存在する場合に、接続を行おうとする対象以外の無線接続装置の利用者に影響を及ぼすことなく、所望の無線接続装置を指定して接続を確立することができる。
【００７２】
次に、第２の実施の形態に係る無線接続装置によって、無線接続を行う方法を図８、図９を参照して説明する。第２の実施の形態に係る無線接続方法は、第１の実施の形態に係る無線接続方法と同様に、互いに視認できる程度の近傍で直接通話を開始する際に、目的外の装置と接続してしまうことなく、通話相手先を指定することができる方法である。
【００７３】
以下の説明において、一方の無線接続装置から他方の無線接続装置へ接続を行う際、接続を行う側の装置を発信側機器、接続要求を待ち受ける側の装置を受信側機器と呼ぶ。まず、図８を参照して、無線接続装置を受信側機器として使用する際の動作を説明する。
【００７４】
（イ）ステップＳ５０１で、利用者からの接続待ち受け開始指示を受け、音声入力手段１１から待ち受け開始の指示があると、ステップＳ５０２において、制御手段１７がパタン記憶装置１４に予め保存されたパタンを取り出す。
【００７５】
このとき、利用者が接続待ち受け開始の指示を入力する方法は、音声入力に依らなくてもよい。例えば、発信側機器の電源（図示せず）を入れるという動作あるいはボタン型入力手段（図示せず）等による押下信号等により待ち受け開始指示を行うことも考えられる。
【００７６】
（ロ）次に、ステップＳ５０３において、制御手段１７がパタンに従って表示手段１５を点滅させる。そして、ステップＳ５０４において、待ち受け状態となり、発信側機器からのパタン問い合わせを待ち受ける。
【００７７】
（ハ）ステップＳ５０４において、パタンの問い合わせがあった場合、ステップＳ５０５に進み、パタン送信のための仮接続を確立する。発信側機器からパタンの問い合わせを受けた受信側機器の制御手段１７は、ステップＳ５０２で取り出したパタンを通信手段１３に渡し、ステップＳ５０６において、発信側機器に対して送信する。この送信されたパタンは、後に詳述するが、発信側機器によって処理される。そして、発信側機器は、必要があれば受信側機器に対して通話接続要求を行う。
【００７８】
（ニ）受信側機器は、ステップＳ５０７において、発信側機器からの通話接続要求を待ち受ける。接続要求があった場合には、ステップＳ５０８において、この発信側機器との間で接続を確立する。
【００７９】
（ホ）ステップＳ５０７において、接続要求がなかった場合は、ステップＳ５０９において、発信側機器との仮接続を切断する。そして、ステップＳ５０３に戻り、再び表示装置を点滅しながら他の発信側機器からのパタン問い合わせを待ち受ける。
【００８０】
次に、図９を参照して、発信側機器の動作を説明する。
【００８１】
（イ）ステップＳ６０１において、発信側機器の音声入力手段１１は、利用者からの音声パタンの入力を待ち受ける。この音声パタンは、接続を行おうとする対象の受信側機器の表示手段１５の点滅に合わせて利用者が舌打ちをすることで入力される。
【００８２】
（ロ）ステップＳ６０１において入力された音声パタンは、制御手段１７を経由してパタン符号化手段１８に送られる。そして、ステップＳ６０２において、パタン符号化手段１８により、図１０に示す符号化パタンに符号化される。
【００８３】
（ハ）次に、ステップＳ６０３において、発信側機器は、検出手段１２により発信側機器の利用者が目視で確認できる範囲にある接続可能な受信側機器を検出する。そして、接続可能な受信側機器が一つ検出されると、ステップＳ６０４において、発信側機器はこの検出された受信側機器と仮接続を確立する。次に、ステップＳ６０５において、受信側機器の表示手段１５の符号化された点滅パタンを問い合わせる。
【００８４】
（ニ）次に、発信側機器は、受信側機器から表示手段１５の点滅パタンを受信する。ここで受信した点滅パタンをパタン記憶装置１４に保存しても良い。そして、ステップＳ６０６において、パタン照合手段１９により、受信した点滅パタンとＳ６０２で符号化された発信側機器の音声パタンが比較される。
【００８５】
（ホ）ステップＳ６０６において、これらのパタンが一致した場合、発信側機器の利用者が接続を行おうとした機器と仮接続中であるということになるので、ステップＳ６０７において、発信側機器は受信側機器に対して通話接続の要求を行う。そして、ステップＳ６０８において、接続を行う。
【００８６】
（へ）ステップＳ６０６において、パタンが一致しなかった場合には、仮接続中の機器は発信側利用者が接続を行おうとした機器とは異なるということになるので、ステップＳ６０８において、発信側機器は仮接続を切断する。そして、ステップＳ６０３に戻り、次の接続可能な受信側機器を検出する。
【００８７】
第２の実施の形態に係る無線接続方法によると、発信側機器の利用者は所望の受信側機器と通話のため接続を確立することができる。又、各無線接続装置は受信待ち受け状態であるか否かを表示手段１５によって他の無線接続装置の利用者に周知させることができる。更に、第２の実施の形態の場合、各々の無線接続装置が各々異なるパタンで表示装置の点滅を行うため、接続を行う無線接続装置対以外の利用者に対してはどの無線接続装置が発信側機器であるか、あるいはどの無線接続装置対が接続を行なっているかを、第三者に知られることなく通話接続を確立することができる。
【００８８】
又、第２の実施の形態に係る無線接続方法においても、第１の実施の形態の変形例と同様に、受信側機器の利用者が接続要求を行っている発信側機器を確認してから接続の可否を決定することもできる。
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００８９】
例えば、本発明の第１及び第２の実施の形態において、それぞれ一つのパタンについて説明したが、パタン記憶装置１４には複数のパタンが保存され、ランダムに、あるいは利用者の好みにより、パタンが選択されるようにしても構わない。
【００９０】
又、本発明の第１及び第２の実施の形態において、無線接続装置間でパタンの送受信を行うことを記述した。このとき、各無線接続装置で、受信したパタンをパタン記憶装置１４に保存し、その後の処理を行っても良い。
【００９１】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【００９２】
【発明の効果】
本発明によれば、接続可能な無線接続装置が複数存在する場合に、接続を行おうとする対象以外の無線接続装置の利用者に影響を及ぼすことなく、所望の無線接続装置を指定して接続を確立することができる無線接続装置及び無線接続方法を提供することができる。
【図面の簡単な説明】
【図１】本発明の第１の実施の形態に係る無線接続装置の構成を示すブロック図である。
【図２】本発明の第１の実施の形態に係る発信側機器の動作を示すフローチャートである。
【図３】本発明の第１の実施の形態に係る受信側機器の動作を示すフローチャートである。
【図４】本発明の第１の実施の形態に係る符号化パタンの例である。
【図５】本発明の第１の実施の形態の変形例に係る受信側機器の動作を示すフローチャートである。
【図６】本発明の第１の実施の形態の変形例に係る発信側機器の動作を示すフローチャートである。
【図７】本発明の第２の実施の形態に係る無線接続装置の構成を示すブロック図である。
【図８】本発明の第２の実施の形態に係る受信側機器の動作を示すフローチャートである。
【図９】本発明の第２の実施の形態に係る発信側機器の動作を示すフローチャートである。
【図１０】本発明の第２の実施の形態に係る符号化パタンの例である。
【符号の説明】
１１  音声信号入力手段
１２  検出手段
１３  通信手段
１４  パタン記憶装置
１５  表示手段
１６  音声信号出力手段
１７  制御手段
１８  パタン符号化手段
１９  パタン照合手段
【図１】
0003781673.tif 000002
【図２】
0003781673.tif 000003
【図３】
0003781673.tif 000004
【図４】
0003781673.tif 000005
【図５】
0003781673.tif 000006
【図６】
0003781673.tif 000007
【図７】
0003781673.tif 000008
【図８】
0003781673.tif 000009
【図９】
0003781673.tif 000010
【図１０】
0003781673.tif 000011